(57)【特許請求の範囲】
【請求項１】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段と、
前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段と、
を備え、
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、前記第２ユーザ識別情報を特定し、
前記録画手段は、前記指示受信手段が受信した第２指示データに含まれる第２指示内容が前記特定の放送番組の録画又は録画予約である場合に、前記操作者特定手段によって特定された第２ユーザ識別情報を、前記生成した録画データにさらに含めて前記録画記憶手段に記憶させ、
前記指示受信手段が受信した第１指示データに含まれる第１指示内容が前記録画データの削除であって、削除対象の前記録画データが前記第１ユーザ識別情報と前記第２ユーザ識別情報とを含む場合に、削除対象の前記録画データから前記第１ユーザ識別情報を削除する録画削除手段をさらに備える
録画再生装置。
【請求項２】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段と、
前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段と、
前記録画データの再生中に前記指示受信手段が受信した第１指示データに含まれる第１指示内容が再生の中断である場合に、再生を中断した位置を示す中断位置情報と前記操作者特定手段によって特定される第１ユーザ識別情報とを関連付けて録画データに含めて前記録画記憶手段に記憶させる中断位置記録手段と、を備える
録画再生装置。
【請求項３】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段と、
前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段と、
を備え、
前記指示受信手段は、さらに、第２ユーザによる第２情報通信端末への操作に応じた第２指示内容と前記第２情報通信端末を示す第２端末識別情報とを含む第２指示データを受信し、
前記第１指示データは、さらに、前記録画データに含まれる情報を前記第２ユーザへ開示することの許否を示す開示許否情報を含み、
前記録画手段は、前記第１指示データに含まれる開示許否情報を、前記生成した録画データにさらに含めて前記録画記憶手段に記憶させ、
前記指示受信手段が受信した第２指示データに含まれる第２指示内容が録画済みの番組情報の表示である場合であって、前記録画データに含まれる開示許否情報が許可を示すとき、当該録画データの番組情報を表示手段に表示させる録画表示データを作成し、前記録画データに含まれる開示許否情報が不許可を示すとき、当該録画データの番組情報を表示手段に表示させない録画表示データを作成する録画表示手段をさらに備える
録画再生装置。
【請求項４】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段と、
前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段と、
を備え、
前記指示受信手段は、さらに、第２ユーザによる第２情報通信端末への操作に応じた第２指示内容と前記第２情報通信端末を示す第２端末識別情報と前記録画データに含まれる情報を前記第１ユーザへ開示することの許否を示す開示許否情報を含む第２指示データを受信し、
前記ユーザ記憶手段に記憶されたユーザデータは、前記第１ユーザ識別情報と前記第１端末識別情報とにさらに管理者であることを示す管理者情報を対応付けるとともに、前記第２ユーザを示す第２ユーザ識別情報と前記第２端末識別情報とを対応付け、
前記指示受信手段が受信した第２指示データに含まれる指示内容に従って特定の放送番組の録画データを生成した場合に、前記操作者特定手段によって特定された第２ユーザ識別情報と前記第２指示データに含まれる開示許否情報とを、前記生成した録画データに含めて前記録画記憶手段に記憶させる録画手段と、
前記指示受信手段が受信した第１指示データに含まれる第１指示内容が録画済みの番組情報の表示である場合に、許可を示す開示許否情報を含む録画データの番組情報とともに、不許可を示す開示許否情報を含む録画データの番組情報を表示手段に表示させる録画表示データを作成する録画表示手段とをさらに備える
録画再生装置。
【請求項５】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段と、
前記指示受信手段が受信した第１指示データに含まれる第１指示内容が特定の放送番組の録画予約である場合に、当該特定の放送番組を示す録画予約データに、前記操作者特定手段によって特定された第１ユーザ識別情報を含めて録画予約記憶手段に記憶させる録画予約手段と、
を備え、
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、第２ユーザ識別情報を特定し、
前記録画予約手段は、前記指示受信手段が受信した第２指示データに含まれる第２指示内容が前記特定の放送番組の録画予約である場合に、前記操作者特定手段によって特定された第２ユーザ識別情報を、前記録画予約データにさらに含めて前記録画予約記憶手段に記憶させ、
前記指示受信手段が受信した第１指示データに含まれる指示内容が前記録画予約データの削除であって、削除対象の前記録画予約データが前記第１ユーザ識別情報と前記第２ユーザ識別情報とを含む場合に、当該削除対象である録画予約データから前記第１ユーザ識別情報を削除する録画予約削除手段をさらに備える
録画再生装置。
【請求項６】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段と、
前記指示受信手段が受信した第１指示データに含まれる第１指示内容が特定の放送番組の録画予約である場合に、当該特定の放送番組を示す録画予約データに、前記操作者特定手段によって特定された第１ユーザ識別情報を含めて録画予約記憶手段に記憶させる録画予約手段と、
を備え、
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、第２ユーザ識別情報を特定し、
前記録画予約手段は、前記指示受信手段が受信した第２指示データに含まれる第２指示内容が前記特定の放送番組の録画予約である場合に、前記操作者特定手段によって特定された第２ユーザ識別情報を、前記録画予約データにさらに含めて前記録画予約記憶手段に記憶させ、
前記指示受信手段が受信した第１指示データは、さらに、前記録画予約データに含まれる情報を前記第２ユーザへ開示することの許否を示す開示許否情報を含み、
前記録画予約手段は、前記第１指示データに含まれる開示許否情報を、前記録画予約データにさらに含めて前記録画予約記憶手段に記憶させ、
前記指示受信手段が受信した第２指示データに含まれる第２指示内容が録画予約済みの番組情報の表示である場合であって、前記録画予約データに含まれる開示許否情報が許可を示すとき、当該録画予約データの番組情報を表示手段に表示させる予約表示データを作成し、前記録画予約データに含まれる開示許否情報が不許可を示すとき、当該録画予約データの番組情報を表示手段に表示させない予約表示データを作成する予約表示手段をさらに備える
録画再生装置。
【請求項７】
前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段をさらに備える
請求項５または６に記載の録画再生装置。
【請求項８】
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、前記第２ユーザ識別情報を特定し、
前記録画手段は、前記指示受信手段が受信した第２指示データに含まれる第２指示内容が前記特定の放送番組の録画又は録画予約である場合に、前記操作者特定手段によって特定された第２ユーザ識別情報を、前記生成した録画データにさらに含めて前記録画記憶手段に記憶させる
請求項２，３，４，７のいずれか１項に記載の録画再生装置。
【請求項９】
前記指示受信手段が受信した第１指示データに含まれる第１指示内容が前記録画データの削除であって、削除対象の前記録画データが前記第１ユーザ識別情報と前記第２ユーザ識別情報とを含む場合に、削除対象の前記録画データから前記第１ユーザ識別情報を削除する録画削除手段をさらに備える
請求項８に記載の録画再生装置。
【請求項１０】
前記指示受信手段が受信した第１指示データに含まれる第１指示内容が前記録画データの再生である場合に、前記操作者特定手段によって特定される第１ユーザ識別情報と当該録画データが再生済みであることとを関連付けて前記録画データに含めて前記録画記憶手段に記憶させる再生フラグ設定手段をさらに備える
請求項１，２，３，４，７のいずれか１項に記載の録画再生装置。
【請求項１１】
前記録画データの再生中に前記指示受信手段が受信した第１指示データに含まれる第１指示内容が再生の中断である場合に、再生を中断した位置を示す中断位置情報と前記操作者特定手段によって特定される第１ユーザ識別情報とを関連付けて録画データに含めて前記録画記憶手段に記憶させる中断位置記録手段をさらに備える
請求項１，３，４，７のいずれか１項に記載の録画再生装置。
【請求項１２】
前記指示受信手段が受信した第１指示データに含まれる第１指示内容が前記録画データの再生である場合であって、当該録画データが前記第１ユーザ識別情報に関連付けられた中断位置情報を含むとき、当該中断位置情報が示す位置から前記録画データを再生し、当該録画データが前記第１ユーザ識別情報に関連付けられた中断位置情報を含まないとき、前記録画データを先頭から再生する再生手段をさらに備える
請求項１１に記載の録画再生装置。
【請求項１３】
前記指示受信手段が受信した第１指示データに含まれる第１指示内容が特定の放送番組の録画予約である場合に、当該特定の放送番組を示す録画予約データに、前記操作者特定手段によって特定された第１ユーザ識別情報を含めて録画予約記憶手段に記憶させる録画予約手段をさらに備える
請求項１から４のいずれか１項に記載の録画再生装置。
【請求項１４】
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、第２ユーザ識別情報を特定し、
前記録画予約手段は、前記指示受信手段が受信した第２指示データに含まれる第２指示内容が前記特定の放送番組の録画予約である場合に、前記操作者特定手段によって特定された第２ユーザ識別情報を、前記録画予約データにさらに含めて前記録画予約記憶手段に記憶させる
請求項１３に記載の録画再生装置。
【請求項１５】
前記指示受信手段が受信した第１指示データに含まれる指示内容が前記録画予約データの削除であって、削除対象の前記録画予約データが前記第１ユーザ識別情報と前記第２ユーザ識別情報とを含む場合に、当該削除対象である録画予約データから前記第１ユーザ識別情報を削除する録画予約削除手段をさらに備える
請求項１４に記載の録画再生装置。
【請求項１６】
前記録画予約削除手段が前記削除対象である録画予約データから前記第１ユーザ識別情報を削除した後、前記指示受信手段が第２指示データを受信し、前記第２指示データに含まれる第２指示内容が前記録画予約データの削除である場合に、
前記録画予約削除手段は、前記録画予約データを削除する
請求項１５に記載の録画再生装置。
【請求項１７】
前記操作者特定手段によってユーザ識別情報が特定されない場合、前記録画予約手段は、前記第１ユーザおよび前記第２ユーザが共用可能な第３ユーザ識別情報を、前記録画予約データにさらに含めて前記録画予約記憶手段に記憶させる
請求項５，６，１４，１５，１６のいずれか１項に記載の録画再生装置。
【請求項１８】
前記指示受信手段が受信した第１指示データに含まれる第１指示内容が放送予定又は録画予約済みの番組情報の表示である場合に、前記第１ユーザ識別情報を含む録画予約データが示す放送番組が録画予約済みであることを、前記第１指示内容に従った番組情報とともに表示手段に表示させる予約表示データを生成する予約表示手段をさらに備える
請求項１から１７のいずれか１項に記載の録画再生装置。
【請求項１９】
前記指示受信手段が受信した第１指示データに含まれる第１指示内容が録画済みの番組情報の表示である場合に、前記第１ユーザ識別情報を含む録画データの番組情報を表示手段に表示させる録画表示データを作成する録画表示手段をさらに備える
請求項１から１８のいずれか１項に記載の録画再生装置。
【請求項２０】
前記指示受信手段は、さらに、第２ユーザによる第２情報通信端末への操作に応じた第２指示内容と前記第２情報通信端末を示す第２端末識別情報とを含む第２指示データを受信し、
前記第１指示データは、さらに、前記録画データに含まれる情報を前記第２ユーザへ開示することの許否を示す開示許否情報を含み、
前記録画手段は、前記第１指示データに含まれる開示許否情報を、前記生成した録画データにさらに含めて前記録画記憶手段に記憶させ、
前記指示受信手段が受信した第２指示データに含まれる第２指示内容が録画済みの番組情報の表示である場合であって、前記録画データに含まれる開示許否情報が許可を示すとき、当該録画データの番組情報を表示手段に表示させる録画表示データを作成し、前記録画データに含まれる開示許否情報が不許可を示すとき、当該録画データの番組情報を表示手段に表示させない録画表示データを作成する録画表示手段をさらに備える
請求項１，２，４，７のいずれか１項に記載の録画再生装置。
【請求項２１】
前記第１ユーザ識別情報には、前記第１ユーザの名称として登録される情報である表示名を含み、
前記録画表示手段は、前記指示受信手段が受信した第２指示データに含まれる第２指示内容が録画済みの番組情報の表示である場合であって、前記録画データに含まれる開示許否情報が許可を示すとき、前記表示名を表示手段に表示させる録画表示データを作成する
請求項２０に記載の録画再生装置。
【請求項２２】
前記指示受信手段が受信した第１指示データは、さらに、前記録画予約データに含まれる情報を前記第２ユーザへ開示することの許否を示す開示許否情報を含み、
前記録画予約手段は、前記第１指示データに含まれる開示許否情報を、前記録画予約データにさらに含めて前記録画予約記憶手段に記憶させ、
前記指示受信手段が受信した第２指示データに含まれる第２指示内容が録画予約済みの番組情報の表示である場合であって、前記録画予約データに含まれる開示許否情報が許可を示すとき、当該録画予約データの番組情報を表示手段に表示させる予約表示データを作成し、前記録画予約データに含まれる開示許否情報が不許可を示すとき、当該録画予約データの番組情報を表示手段に表示させない予約表示データを作成する予約表示手段をさらに備える
請求項５，１４，１５，１６のいずれか１項に記載の録画再生装置。
【請求項２３】
前記指示受信手段は、さらに、第２ユーザによる第２情報通信端末への操作に応じた第２指示内容と前記第２情報通信端末を示す第２端末識別情報と前記録画データに含まれる情報を前記第１ユーザへ開示することの許否を示す開示許否情報を含む第２指示データを受信し、
前記ユーザ記憶手段に記憶されたユーザデータは、前記第１ユーザ識別情報と前記第１端末識別情報とにさらに管理者であることを示す管理者情報を対応付けるとともに、前記第２ユーザを示す第２ユーザ識別情報と前記第２端末識別情報とを対応付け、
前記指示受信手段が受信した第２指示データに含まれる指示内容に従って特定の放送番組の録画データを生成した場合に、前記操作者特定手段によって特定された第２ユーザ識別情報と前記第２指示データに含まれる開示許否情報とを、前記生成した録画データに含めて前記録画記憶手段に記憶させる録画手段と、
前記指示受信手段が受信した第１指示データに含まれる第１指示内容が録画済みの番組情報の表示である場合に、許可を示す開示許否情報を含む録画データの番組情報とともに、不許可を示す開示許否情報を含む録画データの番組情報を表示手段に表示させる録画表示データを作成する録画表示手段とをさらに備える
請求項１，２，３，７のいずれか１項に記載の録画再生装置。
【請求項２４】
前記操作者特定手段は、前記指示受信手段により受信された第２指示データと、前記ユーザ記憶手段に記憶されたユーザデータとに基づいて、第２ユーザ識別情報を特定し、
前記録画手段は、前記指示受信手段により受信された第２指示データに含まれる第２指示内容が前記特定の放送番組の録画又は録画予約である場合に、前記操作者特定手段によって特定された第２ユーザ識別情報を、前記生成した録画データにさらに含めて前記録画記憶手段に記憶させ、
前記指示受信手段が受信した第１指示データに含まれる指示内容が録画データの削除であって、削除対象の録画データが前記第１ユーザ識別情報と前記第２ユーザ識別情報とを含む場合に、前記第１指示内容に従って、前記録画データから前記第１ユーザ識別情報を削除するか、前記録画データから前記第２ユーザ識別情報を削除するか、又は、前記録画データを前記録画記憶手段から削除する録画削除手段をさらに備える
請求項２３に記載の録画再生装置。
【請求項２５】
前記ユーザ記憶手段に記憶されたユーザデータは、前記第２指示内容を制限するための指示制限情報を、前記第２ユーザ識別情報と前記第２端末識別情報とにさらに対応付け、
前記第１端末識別情報から受信した前記指示制限情報を前記ユーザ記憶手段に設定する指示制限手段をさらに備える
請求項２３または２４に記載の録画再生装置。
【請求項２６】
前記ユーザ記憶手段に記憶された前記指示制限情報が特定の放送番組の録画予約であって、前記指示受信手段により受信された第２指示データに含まれる第２指示内容が当該特定の放送番組の録画予約である場合、前記第２指示内容が制限されている旨を表示させる録画予約手段をさらに備える
請求項２５に記載の録画再生装置。
【請求項２７】
前記録画手段は、前記ユーザ記憶手段に記憶された前記指示制限情報が特定の放送番組の録画であって、前記指示受信手段により受信された第２指示データに含まれる第２指示内容が当該特定の放送番組の録画である場合、前記第２指示内容が制限されている旨を表示させる
請求項２５に記載の録画再生装置。
【請求項２８】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータと、前記第１指示データとに基づいて、前記第１ユーザ識別情報を特定し、
前記第１指示データに指示内容として含まれる録画又は録画予約に従って特定の放送番組の録画データを生成した場合に、前記特定された第１ユーザ識別情報を、前記生成した録画データに含めて記憶し、
第２ユーザによる第２情報通信端末への操作に応じた第２指示内容と前記第２情報通信端末を識別するための第２端末識別情報とを含む第２指示データを受信し、
前記第２ユーザを識別するための第２ユーザ識別情報と前記第２端末識別情報とを対応付けるユーザデータと、前記受信された第２指示データとに基づいて、前記第２ユーザ識別情報を特定し、
前記第２指示データに含まれる前記第２指示内容が前記特定の放送番組の録画又は録画予約である場合に、前記第２ユーザ識別情報を、前記生成した録画データにさらに含めて記憶し、
前記第１指示データに含まれる前記第１指示内容が前記録画データの削除であって、削除対象の前記録画データが前記第１ユーザ識別情報と前記第２ユーザ識別情報とを含む場合に、削除対象の前記録画データから前記第１ユーザ識別情報を削除することを実行させるためのプログラム。
【請求項２９】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータを記憶し、
前記第１指示データと前記記憶されたユーザデータとに基づいて、前記第１ユーザ識別情報を特定し、
前記第１指示データに指示内容として含まれる録画又は録画予約に従って特定の放送番組の録画データを生成した場合に、前記特定された第１ユーザ識別情報を、前記生成した録画データに含めて記憶し、
前記録画データの再生中に受信した前記第１指示データに含まれる前記第１指示内容が再生の中断である場合に、再生を中断した位置を示す中断位置情報と前記特定された第１ユーザ識別情報とを関連付けて録画データに含めて記憶することを実行させるためのプログラム。
【請求項３０】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータを記憶し、
前記第１指示データと前記ユーザデータとに基づいて、前記第１ユーザ識別情報を特定し、
前記第１指示データに指示内容として含まれる録画又は録画予約に従って特定の放送番組の録画データを生成した場合に、前記特定された第１ユーザ識別情報を、前記生成した録画データに含めて記憶し、
第２ユーザによる第２情報通信端末への操作に応じた第２指示内容と前記第２情報通信端末を示す第２端末識別情報とを含む第２指示データを受信し、
前記録画データに含まれる情報を前記第２ユーザへ開示することの許否を示す開示許否情報をさらに含む前記第１指示データに含まれる開示許否情報を、前記生成した録画データにさらに含めて記憶し、
前記第２指示データに含まれる第２指示内容が録画済みの番組情報の表示である場合であって、前記録画データに含まれる開示許否情報が許可を示すとき、当該録画データの番組情報を表示させる録画表示データを作成し、前記録画データに含まれる開示許否情報が不許可を示すとき、当該録画データの番組情報を表示させない録画表示データを作成することを実行させるためのプログラム。
【請求項３１】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータを記憶し、
前記第１指示データと前記ユーザデータとに基づいて、前記第１ユーザ識別情報を特定し、
前記第１指示データに指示内容として含まれる録画又は録画予約に従って特定の放送番組の録画データを生成した場合に、前記特定された第１ユーザ識別情報を、前記生成した録画データに含めて記憶し、
第２ユーザによる第２情報通信端末への操作に応じた第２指示内容と前記第２情報通信端末を示す第２端末識別情報と前記録画データに含まれる情報を前記第１ユーザへ開示することの許否を示す開示許否情報を含む第２指示データを受信し、
前記第１ユーザ識別情報と前記第１端末識別情報とにさらに管理者であることを示す管理者情報をさらに対応付けるとともに、前記第２ユーザを示す第２ユーザ識別情報と前記第２端末識別情報とをさらに対応付ける前記ユーザデータを記憶し、
前記第２指示データに含まれる指示内容に従って特定の放送番組の録画データを生成した場合に、前記特定された第２ユーザ識別情報と前記第２指示データに含まれる開示許否情報とを、前記生成した録画データに含めて記憶し、
前記第１指示データに含まれる第１指示内容が録画済みの番組情報の表示である場合に、許可を示す開示許否情報を含む録画データの番組情報とともに、不許可を示す開示許否情報を含む録画データの番組情報を表示させる録画表示データを作成することを実行するためのプログラム。
【請求項３２】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータを記憶し、
前記第１指示データと前記ユーザデータとに基づいて、前記第１ユーザ識別情報を特定し、
前記第１指示データに含まれる第１指示内容が特定の放送番組の録画予約である場合に、当該特定の放送番組を示す録画予約データに、前記特定された第１ユーザ識別情報を含めて記憶し、
第２ユーザによる第２情報通信端末への操作に応じた第２指示内容と、前記第２情報通信端末を識別するための第２端末識別情報とを含む第２指示データを受信し、
前記第２ユーザを識別するための第２ユーザ識別情報と、前記第２端末識別情報とをさらに対応付ける前記ユーザデータを記憶し、
前記第２指示データと、前記ユーザデータとに基づいて、第２ユーザ識別情報を特定し、
前記第２指示データに含まれる第２指示内容が前記特定の放送番組の録画予約である場合に、前記特定された第２ユーザ識別情報を、前記録画予約データにさらに含めて記憶し、
前記第１指示データに含まれる指示内容が前記録画予約データの削除であって、削除対象の前記録画予約データが前記第１ユーザ識別情報と前記第２ユーザ識別情報とを含む場合に、当該削除対象である録画予約データから前記第１ユーザ識別情報を削除ことを実行させるためのプログラム。
【請求項３３】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータを記憶し、
前記第１指示データと前記ユーザデータとに基づいて、前記第１ユーザ識別情報を特定し、
前記第１指示データに含まれる第１指示内容が特定の放送番組の録画予約である場合に、当該特定の放送番組を示す録画予約データに、前記特定された第１ユーザ識別情報を含めて記憶し、
第２ユーザによる第２情報通信端末への操作に応じた第２指示内容と、前記第２情報通信端末を識別するための第２端末識別情報とを含む第２指示データを受信し、
前記第２ユーザを識別するための第２ユーザ識別情報と、前記第２端末識別情報とをさらに対応付ける前記ユーザデータを記憶し、
前記第２指示データと、前記ユーザデータとに基づいて、第２ユーザ識別情報を特定し、
前記第２指示データに含まれる第２指示内容が前記特定の放送番組の録画予約である場合に、前記特定された第２ユーザ識別情報を、前記録画予約データにさらに含めて記憶し、
前記録画予約データに含まれる情報を前記第２ユーザへ開示することの許否を示す開示許否情報をさらに含む前記第１指示データに含まれる開示許否情報を、前記録画予約データにさらに含めて記憶し、
前記第２指示データに含まれる第２指示内容が録画予約済みの番組情報の表示である場合であって、前記録画予約データに含まれる開示許否情報が許可を示すとき、当該録画予約データの番組情報を表示させる予約表示データを作成し、前記録画予約データに含まれる開示許否情報が不許可を示すとき、当該録画予約データの番組情報を表示させない予約表示データを作成することを実行させるためのプログラム。
【発明の詳細な説明】
【技術分野】
【０００１】
本発明は、録画再生装置及びプログラムに関する。
【背景技術】
【０００２】
近年の録画再生装置には、ＲＪ４５コネクタ等の通信インタフェースを備えることによって、家庭内ネットワーク、インターネットなどの通信ネットワークを介して通信できるものが多い。これによって、例えば、特定のアプリケーションソフトウェアをインストールした携帯情報端末を用いて遠隔制御すること、放送番組に関する追加情報などのデータをインターネットを介して受信すること、Digital Living Network Alliance（DLNA）規格などに準じたマルチメディアデータを送受信することなどができる。
【０００３】
また、近年の録画再生装置には、HDD（Hard Disc Drive）等の大容量の記憶装置を備えるものも多い。これにより、多数の放送番組の録画データを録画し再生することができるので、家族など複数のユーザが１つの録画再生装置に各々が所望する番組を記録させることができる。
【０００４】
その一方で、ユーザの一人が所望の番組の録画データを再生させようとしても、録画再生装置には他のユーザが記録させた録画データも記録されているため、所望の番組の録画データを見つけ出すことが困難なことがある。
【０００５】
例えば、特許文献１に記載の録画再生装置は、テレビ番組などの録画番組の予約状況を容易に識別できるようにするため、テレビ番組などを録画する際に、日付、時刻、チャンネル、ユーザ識別情報などの視聴者管理情報を録画番組と対応付けて記録するとともに、撮像部を備える。特許文献１に記載の録画再生装置は、録画番組の予約時に予約操作者を撮影して認識し、認識された人物がその番組を予約したとみなして視聴者管理情報を更新する。
【０００６】
また、ユーザの一人が所望の番組の録画データを再生させる際、それよりも前に他のユーザがその番組の録画データを再生させていた場合、レジューム機能のために、そのユーザは、手動で頭出しなどを行う必要がある。また、これにより、他のユーザが視聴を終了した箇所を示す情報は失われてしまう。その結果、他のユーザが、その後再び同じ番組の録画データを再生する場合、手動で頭出しなどを行う必要がある。このように、途中まで再生させた録画データを再び再生する場合に、前回中断した箇所の続きから再生するレジューム機能を有効に利用することができないことがある。
【０００７】
例えば、特許文献２に記載の情報再生装置は、複数ユーザで共有メディアを利用するＡＶ機器で、レジューム機能を実現するために、再生中の情報記録媒体上の再生位置と、キー入力部への入力に基づくユーザ識別情報をレジューム情報として保持する不揮発性メモリを備える。
【０００８】
例えば、特許文献３に記載の情報再生装置は、複数ユーザが同一コンテンツを引き続き再生できるようにするために、記録情報の再生を要求しているユーザが第１のユーザであるか第２のユーザであるかを分別する分別キーを備える。
【先行技術文献】
【特許文献】
【０００９】
【特許文献１】特開２００７−２５０１５７号公報
【特許文献２】特開２００５−１２９０９３号公報
【特許文献３】特開２０１１−０６５６９５号公報
【発明の概要】
【発明が解決しようとする課題】
【００１０】
しかしながら、特許文献１に記載の録画再生装置では、一般的な録画再生装置が備えていない撮像部を追加的に設ける必要がある。また、特許文献１に記載の録画再生装置では、予約操作者を撮影して視聴者管理情報を更新する追加的な処理を実行する必要がある。特許文献２に記載の情報再生装置では、ユーザ識別情報を入力する手間が掛かる。特許文献３に記載の情報再生装置では、一般的な録画再生装置が備えていない分別キーを追加的に設ける必要がある。
【００１１】
このように、従来の技術では、一般的な録画再生装置が備えていない撮像部又は分別キーを追加的に設けたり、一般的な録画再生装置が実行しない追加的な処理を実行したりする必要があるため、構成が複雑になる。また、ユーザが入力する手間が掛かる。
【００１２】
本発明は、上述の事情に鑑みてなされたもので、簡易な構成であってもユーザの手間を掛けずにユーザを識別することが可能な録画再生装置などを提供することを目的とする。
【課題を解決するための手段】
【００１３】
上記目的を達成するため、本発明に係る録画再生装置は、第１ユーザによる第１情報通信端末への操作に応じた第１指示内容と前記第１情報通信端末を識別するための第１端末識別情報とを含む第１指示データを受信する指示受信手段と、前記第１ユーザを識別するための第１ユーザ識別情報と前記第１端末識別情報とを対応付けるユーザデータを記憶するユーザ記憶手段と、前記指示受信手段により受信された第１指示データと前記ユーザ記憶手段に記憶されたユーザデータとに基づいて、前記第１ユーザ識別情報を特定する操作者特定手段と、前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段と、を備える。前記指示受信手段は、さらに、第２ユーザによる第２情報通信端末への操作に応じた第２指示内容と、前記第２情報通信端末を識別するための第２端末識別情報とを含む第２指示データを受信する。前記ユーザ記憶手段に記憶されたユーザデータは、さらに、前記第２ユーザを識別するための第２ユーザ識別情報と、前記第２端末識別情報とを対応付ける。前記操作者特定手段は、前記指示受信手段により受信された第２指示データと、前記ユーザ記憶手段に記憶されたユーザデータとに基づいて、前記第２ユーザ識別情報を特定する。前記録画手段は、前記指示受信手段が受信した第２指示データに含まれる第２指示内容が前記特定の放送番組の録画又は録画予約である場合に、前記操作者特定手段によって特定された第２ユーザ識別情報を、前記生成した録画データにさらに含めて前記録画記憶手段に記憶させる。前記録画再生装置は、前記指示受信手段が受信した第１指示データに含まれる第１指示内容が前記録画データの削除であって、削除対象の前記録画データが前記第１ユーザ識別情報と前記第２ユーザ識別情報とを含む場合に、削除対象の前記録画データから前記第１ユーザ識別情報を削除する録画削除手段をさらに備える。
【発明の効果】
【００１４】
本発明によれば、第１端末識別情報を含む第１指示データと、第１ユーザ識別情報と前記第１端末識別情報とを対応付けるユーザデータとに基づいて、第１ユーザ識別情報が特定される。これによって、第１ユーザを識別できる第１ユーザ識別情報を特定することができる。第１指示データに含まれる第１指示内容は、ユーザが録画再生装置に指示するために第１情報通信端末を操作することによって、通常生成される情報であって、第１端末識別情報は、ユーザが特別な入力操作などをしなくても第１情報通信端末により自動的に付加することができる。また、第１端末識別情報を第１指示データに含めるために、追加的な構成もほとんど必要としない。従って、簡易な構成であってもユーザの手間を掛けずにユーザを識別することが可能になる。
【図面の簡単な説明】
【００１５】
【図１】本発明の一実施の形態に係る録画再生装置の外観及び周辺の接続機器を示す図である。
【図２】一実施の形態に係る情報通信端末の構成の一例を示す図である。
【図３】一実施の形態に係る録画再生装置の構成の一例を示す図である。
【図４】ユーザデータの一例を示す図である。
【図５】録画予約データの一例を示す図である。
【図６】録画データの一例を示す図である。
【図７】一実施の形態に係る録画予約制御部の構成の一例を示す図である。
【図８】一実施の形態に係る録画制御部の構成の一例を示す図である。
【図９】一実施の形態に係る再生制御部の構成の一例を示す図である。
【図１０】一実施の形態に係る表示制御部の構成の一例を示す図である。
【図１１】一実施の形態に係るユーザデータ送信処理の流れを示すフローチャートの一例である。
【図１２】一実施の形態に係るユーザ登録処理の流れを示すフローチャートの一例である。
【図１３】一実施の形態に係る録画予約処理の流れを示すフローチャートの一例である。
【図１４】一実施の形態に係る第１録画処理の流れを示すフローチャートの一例である。
【図１５】一実施の形態に係る第２録画処理の流れを示すフローチャートの一例である。
【図１６】一実施の形態に係る録画削除処理の流れを示すフローチャートの一例である。
【図１７】一実施の形態に係る再生処理の流れを示すフローチャートの一例である。
【図１８】一実施の形態に係る予約表示処理の流れを示すフローチャートの一例である。
【図１９】一実施の形態に係る管理者登録処理の流れを示すフローチャートの一例である。
【発明を実施するための形態】
【００１６】
以下、本発明の実施の形態について、図面を参照しつつ説明する。全図を通じて同一の要素には同一の符号を付す。
【００１７】
本発明の一実施の形態に係る録画再生装置１００は、放送番組（以下、「番組」と称する。）を録画し再生する装置である。本実施の形態に係る録画再生装置１００は、ＢＤ（Blu-ray（登録商標））及びＤＶＤ（Digital Versatile Disc）への記録と読み出しが可能なＢＤレコーダであり、各種データを読み書き可能なＨＤＤ（Hard Disc Drive）を内蔵する。
【００１８】
録画再生装置１００は、その外観を図１に示すように、表示手段としてのテレビ受像器（以下、「テレビ」と称する。）１０１と、例えばＨＤＭＩ（登録商標）（High-Definition Multimedia Interface）ケーブルで接続される。これにより、録画再生装置１００は、テレビ１０１に、録画した番組を表示させたり、設定画面、録画された番組の一覧画面、録画予約された番組の一覧画面などを表示させたりすることができる。
【００１９】
また、録画再生装置１００及びテレビ１０１の各々は、同図に示すように、無線ＬＡＮ（Local Area Network）ルータ１０２にＬＡＮケーブルで接続される。これにより、録画再生装置１００及びテレビ１０１の各々は、家庭内ネットワークを介して他のＡＶ（Audio Visual）機器からマルチメディアデータなどの各種データを送受信することができ、さらにインターネットを介して各種データを送受信することができる。
【００２０】
ルータ１０２と、録画再生装置１００のユーザの各々が携帯する情報通信端末１０３ａ，１０３ｂの各々とは、ルータ１０２を介して通信可能に接続される。これにより、録画再生装置１００と、情報通信端末１０３ａ，１０３ｂの各々とは、ルータ１０２を介して通信する。
【００２１】
情報通信端末１０３ａ，１０３ｂは、典型的にはスマートフォン、タブレット端末などである。情報通信端末１０３ａ，１０３ｂは、録画再生装置１００に応じた専用のアプリケーションソフト（以下、「アプリ」と称する。）をインストールしそのアプリを実行することで、録画再生装置１００のリモコン装置として機能する。そのため、各ユーザは、アプリを実行する自己の情報通信端末１０３ａ，１０３ｂを操作することで、録画、再生、各種情報の設定などを録画再生装置１００へ指示することができる。以下、情報通信端末１０３ａ，１０３ｂの各々を特に区別しない場合、情報通信端末１０３と表記する。なお、情報通信端末１０３は、２台に限らず、１台以上であれば、何台であってもよい。
【００２２】
詳細には、情報通信端末１０３は、機能的な構成を図２に示すように、ユーザが入力するための端末入力部１０４及びユーザに情報を表示する端末表示部１０５とで構成されるタッチパネルと、情報通信端末１０３を識別するための端末ＩＤ（端末識別情報）を含むユーザデータを録画再生装置１００へ送信するユーザデータ送信部１０６と、録画、再生、各種情報の設定などを指示内容として含む指示データを録画再生装置１００へ送信する指示送信部１０７とを備える。ユーザデータ送信部１０６と、指示送信部１０７とは、アプリを実行することによって発揮される機能である。
【００２３】
ユーザデータ送信部１０６は、録画再生装置１００にユーザを登録する指示を与えると、自身を備える情報通信端末１０３を識別するための端末ＩＤを含むユーザデータを生成する。ユーザが、ユーザを登録する指示を与える際に、ユーザの表示名を端末入力部１０４に入力した場合、ユーザデータ送信部１０６は、その入力に応じた表示名をさらに含むユーザデータを生成する。ユーザデータ送信部１０６は、生成したユーザデータを、ユーザによる端末入力部１０４への入力に応じて録画再生装置１００へ送信する。
【００２４】
指示送信部１０７は、録画、再生、各種情報の設定などを録画再生装置１００に指示する際に、ユーザによる端末入力部１０４への入力に応じた指示内容を端末表示部１０５に表示させる。そして、指示送信部１０７は、入力された指示内容と、自身を備える情報通信端末１０３の端末ＩＤとを含む指示データを生成する。指示送信部１０７は、生成した指示データを、ユーザによる端末入力部１０４への入力に応じて録画再生装置１００へ送信する。
【００２５】
ここで、端末ＩＤには、例えば情報通信端末１０３のＭＡＣアドレスなどが採用されるとよい。
【００２６】
録画再生装置１００は、図１に示すように、情報通信端末１０３の他に、リモコン装置１０８からもユーザの操作に応じて、録画、再生、各種情報の設定などの指示を受ける。録画再生装置１００は、リモコン装置１０８から、例えば赤外線通信で信号を受信する。
【００２７】
アプリを実行する情報通信端末１０３とリモコン装置１０８とは、いずれも概ね同様の指示を録画再生装置１００へ与えることができる。情報通信端末１０３は、録画再生装置１００のユーザの中の特定（通常は、１人）のユーザにより使用されるのに対して、リモコン装置１０８は、録画再生装置１００のすべてのユーザにより使用されることが、情報通信端末１０３とリモコン装置１０８とで異なる。
【００２８】
なお、録画再生装置１００は、ＢＤレコーダに限らず、ＤＶＤレコーダ、ＨＤＤレコーダ、録画機能を内蔵したテレビなどであってもよい。また、ＨＤＤは、録画再生装置１００に、外付けで備えられてもよい。さらに、録画再生装置１００と周辺の機器（テレビ１０１、ルータ１０２、情報通信端末１０３、リモコン装置１０８）とが通信するための接続形態は、上述のものに限られない。例えば、録画再生装置１００とテレビ１０１とは、各種の同軸ケーブルなどにより接続されてもよい。録画再生装置１００と情報通信端末１０３とは、Bluetooth（登録商標）などの各種の規格により無線で通信してもよく、赤外線で通信してもよく、有線で通信してもよい。録画再生装置１００とリモコン装置１０８とは、Bluetooth（登録商標）などの各種の規格により無線で通信してもよく、有線で通信してもよい。
【００２９】
録画再生装置１００は、機能的には、図３に示すように、各種データを記憶する記憶部１０９と、録画再生装置１００にユーザを登録するユーザ登録部１１０と、録画再生装置１００の管理者を登録する管理者登録部１１１と、管理者でないユーザの指示に関する制限を設定する指示制限部１１２と、ユーザの操作に応じて送信された指示データを受信する指示受信部１１３と、指示データに含まれる指示内容に応じた処理部を決定するとともに、その指示をするための操作をしたユーザのユーザＩＤを特定する操作者特定部１１４と、録画予約に関する処理を実行する録画予約制御部１１５と、録画に関する処理を実行する録画制御部１１６と、再生に関する処理を実行する再生制御部１１７と、録画又は録画予約された番組の表示に関する処理を実行する表示制御部１１８とを備える。
【００３０】
記憶部１０９は、予め格納されるファームウェア（ソフトウェアプログラム）、予め設定される各種の設定情報などに加えて、図４〜６のそれぞれに示すようなユーザデータ１１９、録画予約データ１２０、録画データ１２１などを記憶する。なお、ユーザデータ１１９を記憶する記憶部１０９の領域は、ユーザ記憶手段に相当する。録画予約データ１２０を記憶する記憶部１０９の領域は、録画予約記憶手段に相当する。録画データ１２１を記憶する記憶部１０９の領域は、録画記憶手段に相当する。
【００３１】
ユーザデータ１１９は、録画再生装置１００のユーザに関するデータであって、図４に示すように、録画再生装置１００のユーザを識別するための情報であるユーザＩＤ（ユーザ識別情報）と、ユーザが自身の名称として登録する情報である表示名と、端末ＩＤと、ユーザの権限を示す情報である権限情報と、管理者を認証するために設定される情報であるパスコードと、指示内容に関する制限を示す情報である指示制限情報とが対応付けられたデータである。
【００３２】
ユーザＩＤは、例えばユーザが録画再生装置１００に登録される際に、録画再生装置１００によって自動的に設定される。
【００３３】
表示名は、例えばユーザの名称をテレビに表示する際に使用される。なお、ユーザごとに異なる表示名が登録される場合、表示名がユーザ識別情報に採用されてもよい。
【００３４】
権限情報は、対応付けられたユーザＩＤにより示されるユーザが録画再生装置１００の管理者か否かを示す。
【００３５】
パスコードは、設定された管理者を認証するためのパスワードであり、例えば文字、数字、記号などを含む。
【００３６】
指示制限情報は、対応付けられたユーザＩＤにより示されるユーザに対して設定された、指示内容に関する制限を示す。例えば図４に示す例では、ユーザＩＤが「ＵＩＤ２」であるユーザは、２３：００−２４：００、０：００−５：００に録画再生装置１００に録画させることが禁止されている。
【００３７】
同図に示すユーザデータ１１９において、例えば「ＵＩＤ１」が、第１ユーザのユーザＩＤに相当する場合、「ＴＩＤ１」は、第１ユーザが操作する情報通信端末１０３ａの端末ＩＤである第１端末識別情報に相当する。また例えば、「ＵＩＤ２」が、第２ユーザのユーザＩＤに相当する場合、「ＴＩＤ２」は、第２ユーザが操作する情報通信端末１０３ｂの端末ＩＤである第２端末識別情報に相当する。
【００３８】
録画予約データ１２０は、ユーザによって設定された録画予約に関するデータであって、図５に示すように、録画予約データ１２０に含まれる録画予約の各々を識別するための情報である予約ＩＤと、録画予約された番組に関する情報である番組情報と、録画予約をしたユーザのユーザＩＤである予約者ＩＤと、対応付けられた番組の録画予約がされたことを予約者以外のユーザに開示するか否かを示す情報である開示許否情報等とが対応付けられたデータである。
【００３９】
予約ＩＤは、例えばユーザが録画再生装置１００に録画予約をする際に、録画再生装置１００によって自動的に設定される。
【００４０】
番組情報は、同図に示すように、録画予約された番組のタイトルである番組タイトルと、録画予約された番組が放送される時間である放送時間と、録画予約された番組が放送されるチャンネルである放送チャンネルとを含む。
【００４１】
なお、番組情報には、これらの他に、スポーツ、ドラマ、ニュースなどの番組のジャンルなどが含まれてもよい。また、番組情報は、番組タイトル、放送時間、放送チャンネルなどの一部であってもよい。
【００４２】
開示許否情報は、録画予約データ１２０において対応付けられた各情報を予約者以外のユーザに開示することを許可するか禁止するかを示す。同図に示す録画予約データ１２０の例では、「許可」が、録画予約データ１２０に含まれる情報の開示の許可を示し、「不許可」が、録画予約データ１２０に含まれる情報の開示の禁止を示す。
【００４３】
録画データ１２１は、録画した番組に関するデータであって、録画した番組の各々を識別するための録画ＩＤと、録画された番組の番組情報と、録画された番組の映像及び音声を含む映像・音声データと、番組を録画する指示をしたユーザのユーザＩＤである録画者ＩＤと、映像・音声データの再生状況を示す再生状況情報等とが対応付けられたデータである。
【００４４】
録画ＩＤは、例えば録画される際に、録画再生装置１００によって自動的に設定される。
【００４５】
本実施の形態に係る再生状況情報は、録画者ＩＤに対応付けられた再生フラグ及び中断位置情報を含む。再生フラグは、対応付けられた録画者ＩＤにより示されるユーザにより、再生されたことがあるか否かを示す。中断位置情報は、対応付けられた録画者ＩＤにより示されるユーザによる再生が途中で中断された場合に、中断された位置を示す。中断位置は、例えば、映像・音声データが示す動画像及び音声の最初からの再生時間で表され、具体的には例えば分秒で表される。
【００４６】
録画者ＩＤが「共用ＩＤ」に対応付けられた再生状況情報は、すべてのユーザに共通に使用されるリモコン装置１０８からの指示に基づく再生状況を示す。
【００４７】
ユーザ登録部１１０は、アプリを実行する情報通信端末１０３ａ，１０３ｂ、リモコン装置１０８のいずれかへのユーザの操作に応じて、録画再生装置１００にユーザを登録する。
【００４８】
管理者登録部１１１は、リモコン装置１０８へのユーザの操作に応じて、録画再生装置１００の管理者を登録する。なお、管理者の登録のために、リモコン装置１０８の代わりに、情報通信端末１０３ａ，１０３ｂが用いられてもよい。
【００４９】
指示制限部１１２は、アプリを実行する情報通信端末１０３ａ，１０３ｂ、リモコン装置１０８のいずれかへの管理者であるユーザの操作に応じて、管理者でないユーザの指示制限情報をユーザデータ１１９に設定する。すなわち、例えば、指示制限部１１２は、ユーザＩＤが「ＵＩＤ２」であるユーザの情報通信端末から、ユーザＩＤが「ＵＩＤ２」であるユーザの指示制限情報を取得した場合、その指示制限情報を「ＵＩＤ２」に対応付けてユーザデータ１１９に設定する。
【００５０】
指示受信部１１３は、アプリを実行する情報通信端末１０３ａ，１０３ｂ、リモコン装置１０８のいずれかから、ユーザの操作に応じて送信された指示データを受信する。指示データは、上述の通り、指示内容と端末ＩＤとを含む。また、指示内容が録画予約である指示データは、さらに、ユーザの操作に応じた開示許否情報を含む。
【００５１】
なお、実施の形態に係る録画予約データ１２０が、それに含まれる情報を他のユーザへ開示することの許否を示す開示許否情報を含むのと同様に、録画データ１２１が、それに含まれる情報を他のユーザへ開示することの許否を示す開示許否情報を含んでもよい。この場合、例えば録画予約に基づく録画によって生成された録画データ１２１には、その基になった録画予約データ１２０に含まれる開示許否情報と同じ開示許否情報が設定されるとよい。これにより、録画予約時に設定された開示許否情報が、その録画予約に従って生成された録画データ１２１にもそのまま引き継がれることになるので、ユーザが録画データ１２１の開示許否情報を再設定する手間を軽減することができる。また、録画を指示内容とする指示データが送信され、その指示データに基づいて録画データ１２１が生成されるときには、指示データが、その指示に基づいて生成される録画データ１２１に含まれる情報を他のユーザへ開示することの許否を示す開示許否情報を含み、その開示許否情報が録画データ１２１に設定されるとよい。
【００５２】
操作者特定部１１４は、指示受信部１１３によって受信された指示データに含まれる指示内容に応じた処理部を決定する。
【００５３】
例えば、指示内容には、録画予約、録画予約の削除、録画、録画の削除、再生、再生の中断、録画された番組の表示、録画予約された番組の表示などがある。
【００５４】
操作者特定部１１４は、指示内容が録画予約又は録画予約の削除である場合、その指示内容に応じた処理部に録画予約制御部１１５を決定する。操作者特定部１１４は、指示内容が録画又は録画の削除である場合、その指示内容に応じた処理部に録画制御部１１６を決定する。操作者特定部１１４は、指示内容が再生又は再生の中断である場合、その指示内容に応じた処理部に再生制御部１１７を決定する。操作者特定部１１４は、指示内容が録画された番組の表示又は録画予約された番組の表示である場合、その指示内容に応じた処理部に表示制御部１１８を決定する。
【００５５】
また、操作者特定部１１４は、指示受信部１１３により受信された指示データとユーザデータ１１９とに基づいて、指示データを送信するための操作をしたユーザのユーザＩＤを特定する。詳細には、操作者特定部１１４は、指示データに含まれる端末ＩＤを抽出し、抽出した端末ＩＤにユーザデータ１１９において対応付けられたユーザＩＤを特定する。操作者特定部１１４は、指示データに含まれる指示内容と、特定したユーザＩＤとを含むデータを、指示内容に応じた処理部へ出力する。指示受信部１１３によって受信された指示データが開示許否情報を含む場合、操作者特定部１１４から処理部へ出力されるデータには、その開示許否情報が含まれる。
【００５６】
録画予約制御部１１５は、機能的には、図７に示すように、録画予約を登録するための処理を実行する録画予約部１２２と、登録された録画予約を削除するための処理を実行する録画予約削除部１２３とを備える。
【００５７】
録画予約部１２２は、操作者特定部１１４から取得したデータに基づいて、録画予約データ１２０を作成する。ここで、録画予約部１２２が操作者特定部１１４から取得するデータには、指示内容として特定の番組の録画を予約することと、開示許否情報と、ユーザＩＤとが含まれる。
【００５８】
詳細には、録画予約部１２２は、予約ＩＤを生成する。録画予約部１２２は、生成した予約ＩＤに、取得したデータの指示内容に含まれる番組情報、予約者ＩＤとしてのユーザＩＤ及び開示許否情報を対応付けた録画予約データ１２０を作成する。録画予約部１２２は、作成した録画予約データ１２０を記憶部１０９へ出力する。これにより、記憶部１０９は、録画予約データ１２０を記憶する。
【００５９】
録画予約削除部１２３は、操作者特定部１１４から取得したデータに基づいて、録画予約データ１２０を削除するための処理を実行する。ここで、録画予約削除部１２３が操作者特定部１１４から取得するデータには、指示内容として特定の番組の録画予約を削除することと、ユーザＩＤとが含まれる。
【００６０】
詳細には例えば、録画予約削除部１２３は、操作者特定部１１４から取得したデータの指示内容に含まれる番組情報を含み、かつ、操作者特定部１１４から取得したデータに含まれるユーザＩＤを予約者ＩＤとして含む録画予約データ１２０を削除の対象として特定する。操作者特定部１１４から取得したデータに含まれるユーザＩＤとは異なるユーザＩＤが削除の対象となる録画予約データ１２０の予約者ＩＤに含まれている場合、録画予約削除部１２３は、操作者特定部１１４から取得したデータに含まれるユーザＩＤを削除の対象となる録画予約データ１２０から削除する。操作者特定部１１４から取得したデータに含まれるユーザＩＤとは異なるユーザＩＤが削除の対象となる録画予約データ１２０の予約者ＩＤに含まれていない場合、録画予約削除部１２３は、削除の対象となる録画予約データ１２０を記憶部１０９から削除する。
【００６１】
録画制御部１１６は、機能的には、図８に示すように、録画するための処理を実行する録画部１２４と、録画を削除するための処理を実行する録画削除部１２５とを備える。
【００６２】
録画部１２４は、録画予約データ１２０又は操作者特定部１１４から取得したデータに基づいて録画することによって、録画データ１２１を作成する。
【００６３】
詳細には、録画予約データ１２０に基づいて録画する場合、録画部１２４は、録画予約データ１２０に含まれる番組の放送時間の開始時刻が到来すると、その番組を録画する。これによって、録画部１２４は、ユーザの指示により録画予約された番組の映像・音声データを含む録画データ１２１を作成する。録画部１２４は、録画ＩＤを作成し、作成した映像・音声データに録画ＩＤを対応付けた録画データ１２１を作成する。また、録画部１２４は、録画予約データ１２０に含まれる番組情報をさらに対応付けるとともに、録画予約データ１２０に含まれる予約者ＩＤを録画者ＩＤとしてさらに対応付けた録画データ１２１を作成する。
【００６４】
操作者特定部１１４から取得したデータに基づいて録画する場合、録画部１２４は、このデータに指示内容として含まれる番組を録画する。これによって、録画部１２４は、ユーザにより指示された番組の映像・音声データを含む録画データ１２１を作成する。作成した映像・音声データに録画ＩＤを対応付けた録画データ１２１を作成する。また、録画部１２４は、操作者特定部１１４から取得するデータに含まれるユーザＩＤを録画者ＩＤとしてさらに対応付けた録画データ１２１を作成する。
【００６５】
ここで、録画部１２４によって作成される録画データ１２１の再生フラグは、「未」である。また、録画部１２４によって作成された録画データ１２１の中断位置は、最初を示す「００：００」である。なお、録画部１２４によって作成される録画データ１２１には、録画者ＩＤとして「共用ＩＤ」が常に含まれていてもよい。
【００６６】
録画削除部１２５は、操作者特定部１１４から取得したデータに基づいて、録画データ１２１を削除するための処理を実行する。ここで、録画削除部１２５が操作者特定部１１４から取得するデータには、指示内容として特定の番組の録画を削除することと、ユーザＩＤとが含まれる。
【００６７】
詳細には、録画削除部１２５は、ユーザデータ１１９を参照することによって、操作者特定部１１４から取得したデータに含まれるユーザＩＤが示すユーザが管理者か否かを判断する。
【００６８】
管理者でないと判断した場合、録画削除部１２５は、操作者特定部１１４から取得したデータの指示内容に含まれる番組情報を含む録画データ１２１を取得する。録画削除部１２５は、取得した録画データ１２１に複数の録画者ＩＤが含まれるか否かを判断する（このとき、「共用ＩＤ」は除いて判断されてもよい。）。複数の録画者ＩＤが含まれると判断した場合、録画削除部１２５は、録画データ１２１の録画者ＩＤから、操作者特定部１１４から取得したデータに含まれるユーザＩＤを削除する。複数の録画者ＩＤが含まれないと判断した場合、録画削除部１２５は、録画データ１２１を削除する。
【００６９】
管理者であると判断した場合、録画削除部１２５は、操作者特定部１１４から取得したデータに含まれる指示内容の削除方法に従って、録画を削除するための処理を実行する。例えば、管理者は、録画を削除するための指示において、録画の削除方法を選択する。録画の削除方法として、例えば、録画者ＩＤとして含まれる管理者のユーザＩＤを録画データ１２１から削除すること、録画者ＩＤとして含まれる管理者以外の特定のユーザのユーザＩＤを録画データ１２１から削除すること、複数のユーザＩＤを録画者ＩＤとして含むか否かにかかわらず録画データ１２１を削除することなどを挙げることができる。指示データの指示内容には、選択された録画の削除方法が含まれる。
【００７０】
再生制御部１１７は、操作者特定部１１４から取得したデータに基づいて、録画された番組を再生するための処理を実行する。ここで、再生制御部１１７が操作者特定部１１４から取得するデータには、指示内容として特定の番組の録画を再生することと、ユーザＩＤとが含まれる。
【００７１】
なお、再生制御部１１７は、ＢＤ又はＤＶＤに含まれる任意の動画像を再生する際に、録画された番組の録画データ１２１と同様の処理を実行してもよい。
【００７２】
再生制御部１１７は、機能的には、図９に示すように、再生するための処理を実行する再生部１２６と、録画データ１２１に再生フラグを設定する再生フラグ設定部１２７と、再生が中断された場合に中断された位置を示す中断位置情報を録画データ１２１に記録する中断位置記録部１２８とを備える。
【００７３】
再生部１２６は、操作者特定部１１４から取得したデータに基づいて、録画データ１２１に含まれる映像及び音声を再生する。ここで、再生部１２６が操作者特定部１１４から取得するデータには、ユーザＩＤと、指示内容とが含まれる。この指示内容は、録画された番組のうち、特定の番組の録画を再生することを示すものである。
【００７４】
詳細には、再生部１２６は、操作者特定部１１４から取得したデータの指示内容に含まれる番組を録画した録画データ１２１を記憶部１０９から取得する。再生部１２６は、取得した録画データ１２１に含まれる映像及び音声をテレビ１０１に表示させる。
【００７５】
再生フラグ設定部１２７は、操作者特定部１１４から取得したデータに基づいて、録画データ１２１に含まれる再生フラグを更新する。
【００７６】
詳細には、録画データ１２１に含まれる映像及び音声が再生された場合、再生フラグ設定部１２７は、再生された録画データ１２１に含まれる録画者ＩＤのうち、操作者特定部１１４から取得したデータに含まれるユーザＩＤと同じ録画者ＩＤに対応付けられた再生フラグに「済」を設定する。より詳細には、再生フラグ設定部１２７は、録画データ１２１に含まれる映像及び音声が再生された場合であって、上述の再生フラグが「未」であるときにのみ、その再生フラグに「済」を設定する。
【００７７】
中断位置記録部１２８は、操作者特定部１１４から取得したデータに基づいて、録画データ１２１に含まれる中断位置情報を更新する。ここで、中断位置記録部１２８が操作者特定部１１４から取得するデータには、指示内容として再生中の録画の再生を中断することと、ユーザＩＤとが含まれる。
【００７８】
詳細には、中断位置記録部１２８は、操作者特定部１１４から取得したデータに応じて、録画の再生を中断する。そして、中断位置記録部１２８は、再生していた録画の最初からの再生時間を、中断位置として分秒単位で取得する。中断位置記録部１２８は、取得した中断位置を示す中断位置情報を、操作者特定部１１４から取得したデータに含まれるユーザＩＤと同じ録画者ＩＤに対応付けて録画データ１２１に記録する。
【００７９】
このとき、再生を開始する際に再生部１２６が操作者特定部１１４から取得したデータと、その再生中に中断位置記録部１２８が操作者特定部１１４から取得したデータとで、各データに含まれるユーザＩＤが異なる可能性がある。この場合、中間位置情報は、再生を開始する際に再生部１２６が操作者特定部１１４から取得したデータに含まれるユーザＩＤと同じ録画者ＩＤに対応付けて録画データ１２１に記録されるとよい。これにより、再生を開始する指示をしたユーザは、実際に視聴した最終位置を、再生が中断された位置から探すことができる。
【００８０】
表示制御部１１８は、操作者特定部１１４から取得したデータに基づいて、録画又は録画予約された番組の番組情報をテレビ１０１に表示させるための処理を実行する。ここで、表示制御部１１８が操作者特定部１１４から取得するデータには、指示内容として録画又は録画予約された番組を表示することと、ユーザＩＤとが含まれる。
【００８１】
表示制御部１１８は、機能的には、図１０に示すように、録画された番組の番組情報をテレビ１０１に表示させるための処理を実行する録画表示部１２９と、録画予約された番組の番組情報をテレビ１０１に表示させるための処理を実行する予約表示部１３０とを備える。
【００８２】
録画表示部１２９は、操作者特定部１１４から取得したデータの指示内容が録画された番組の番組情報を表示すること（録画済みの番組情報の表示）である場合に、そのデータに含まれるユーザＩＤを録画者ＩＤとして含む録画データ１２１の番組情報を記憶部１０９から取得する。録画表示部１２９は、取得した番組情報をテレビに表示させるデータ（録画表示データ）を作成する。録画表示部１２９は、作成した録画表示データをテレビ１０１へ出力する。これにより、録画済みの番組の番組情報がテレビ１０１に表示される。このとき、操作者特定部１１４から取得したデータのユーザＩＤを録画者ＩＤとして含む録画データ１２１が、複数の番組の番組情報を含む場合、例えば番組情報を番組ごとにまとめたリスト形式で一覧表示できる録画表示データが作成されるとよい。
【００８３】
予約表示部１３０は、操作者特定部１１４から取得したデータの指示内容が録画予約された番組の番組情報を表示すること（録画予約済みの番組情報の表示）である場合に、そのデータに含まれるユーザＩＤを予約者ＩＤに含む録画予約データ１２０の番組情報を記憶部１０９から取得する。予約表示部１３０は、取得した番組情報をテレビに表示させるデータ（予約表示データ）を作成する。予約表示部１３０は、作成した予約表示データをテレビ１０１へ出力する。これにより、録画予約済みの番組の番組情報がテレビ１０１に表示される。このとき、操作者特定部１１４から取得したデータのユーザＩＤを予約者ＩＤとして含む録画データ１２１が、複数の番組の番組情報を含む場合、例えば番組情報を番組ごとにまとめたリスト形式で一覧表示できる予約表示データが作成されるとよい。
【００８４】
なお、操作者特定部１１４から取得したデータの指示内容が、電子番組ガイドEPG（Electronic Program Guide）などの放送予定の番組情報の表示である場合、予約表示部１３０は、録画予約済みの番組が視認できるように、電子番組ガイドを表示してもよい。
【００８５】
物理的には例えば、記憶部１０９は、ＨＤＤ、ＢＤ、ＤＶＤ、フラッシュメモリ、それらの制御部などから構成される。例えば、ファームウェア、各種の設定情報及びユーザデータ１１９は、フラッシュメモリに格納され、録画予約データ１２０は、ＨＤＤに格納され、録画データ１２１は、ＨＤＤ、ＢＤ又はＤＶＤに格納されるとよい。
【００８６】
ユーザ登録部１１０、管理者登録部１１１、指示制限部１１２及び指示受信部１１３は、物理的には例えば、情報通信端末１０３と通信するためのルータ１０２が接続されるＲＪ４５コネクタなどの通信インタフェース、ファームウェアを実行するシステムＬＳＩ（Large Scale Integration）などから構成される。
【００８７】
操作者特定部１１４及び録画予約制御部１１５は、物理的には例えば、ファームウェアを実行するシステムＬＳＩなどから構成される。
【００８８】
録画制御部１１６は、物理的には例えば、チューナ、計時するタイマ、ファームウェアを実行するシステムＬＳＩなどから構成される。
【００８９】
再生制御部１１７及び表示制御部１１８は、物理的には例えば、ＨＤＭＩ（登録商標）端子、ファームウェアを実行するシステムＬＳＩなどから構成される。なお、システムＬＳＩは、ＣＰＵ（Central Processing Unit）、ＲＯＭ（Read Only Memory）、ＲＡＭ（Random Access Memory）、周辺の電子部品との間で信号を出入力するための端子及びインタフェースなどから構成される。また、録画再生装置１００には、Ｂ−ＣＡＳカードなどが適宜取り付けられてもよい。
【００９０】
これまで、本発明の一実施の形態に係る録画再生装置１００の構成について説明した。ここから、一実施の形態に係る録画再生装置１００の動作について説明する。
【００９１】
情報通信端末１０３は、例えば、ユーザが情報通信端末１０３に、予めインストールされた専用のアプリを実行させ、ユーザ登録のための処理を実行する指示を与えると、図１１に示すユーザデータ送信処理を実行する。ユーザデータ送信処理は、ユーザと情報通信端末１０３とを録画再生装置１００に関連付けて登録するための処理である。
【００９２】
端末表示部１０５に表示されるユーザ登録用の画面を閲覧しつつユーザが表示名を入力すると、端末入力部１０４は、ユーザが入力した表示名を示す情報を受け付ける（ステップＳ１０１）。
【００９３】
ユーザデータ送信部１０６は、端末入力部１０４が受け付けた情報が示す表示名と、ユーザが操作する情報通信端末１０３の端末ＩＤとを含むユーザデータを作成する（ステップＳ１０２）。
【００９４】
ユーザデータ送信部１０６は、作成したユーザデータをルータ１０２を介して録画再生装置１００へ送信する（ステップＳ１０３）。これにより、情報通信端末１０３は、ユーザデータ送信処理を終了する。
【００９５】
情報通信端末１０３からルータ１０２を介してユーザデータを受信した録画再生装置１００は、図１２に示すユーザ登録処理を実行する。ユーザ登録処理は、録画再生装置１００がユーザを登録する処理である。
【００９６】
ユーザ登録部１１０は、情報通信端末１０３からルータ１０２を介してユーザデータを受信すると、受信したユーザデータに含まれる端末ＩＤが記憶部１０９のユーザデータ１１９に登録済みであるか否かを判断する（ステップＳ１１１）。
【００９７】
受信したユーザデータに含まれる端末ＩＤが記憶部１０９のユーザデータ１１９に含まれる場合、ユーザ登録部１１０は、端末ＩＤは登録済みであると判断し（ステップＳ１１１；ＹＥＳ）、「既に登録されています。」などのメッセージを適宜表示させて（不図示）、ユーザ登録処理を終了する。
【００９８】
受信したユーザデータに含まれる端末ＩＤが記憶部１０９のユーザデータ１１９に含まれない場合、ユーザ登録部１１０は、端末ＩＤは登録済みでないと判断し（ステップＳ１１１；ＮＯ）、記憶部１０９のユーザデータ１１９に含まれないユーザＩＤを生成し、情報通信端末１０３から送信されたユーザデータに生成したユーザＩＤを含めて記憶部１０９へ出力する。記憶部１０９は、情報通信端末１０３から送信されたユーザデータにユーザＩＤを含めたデータを記憶し、これにより、録画再生装置１００にユーザデータ１１９が登録される（ステップＳ１１２）。
【００９９】
指示受信部１１３は、特定の番組の録画予約を指示内容として含む指示データを受信すると、図１３に示す録画予約処理を実行する。録画予約処理は、ユーザの指示に応じた特定の番組の録画予約を録画再生装置１００に登録する処理である。
【０１００】
操作者特定部１１４は、指示受信部１１３が受信した指示データに含まれる端末ＩＤに、記憶部１０９のユーザデータ１１９にて対応付けられたユーザＩＤを特定する（ステップＳ１２１）。操作者特定部１１４は、指示受信部１１３が受信した指示データに含まれる指示内容及び開示許否情報と、特定したユーザＩＤとを含むデータを録画予約部１２２へ出力する。
【０１０１】
録画予約部１２２は、録画予約をしたユーザがその録画予約をする権限があるか否かを判断する（ステップＳ１２２）。
【０１０２】
詳細には、録画予約部１２２は、記憶部１０９のユーザデータ１１９を参照し、ステップＳ１２１にて特定されたユーザＩＤに対応付けられた指示制限情報を取得する。録画予約部１２２は、操作者特定部１１４から取得したデータに含まれる指示内容において録画予約の対象となる番組が、取得した指示制限情報に照らして制限されていない場合、録画予約の権限があると判断する。録画予約部１２２は、操作者特定部１１４から取得したデータに含まれる指示内容において録画予約の対象となる番組が、取得した指示制限情報に照らして制限されている場合、録画予約の権限がないと判断する。
【０１０３】
録画予約の権限がないと判断した場合（ステップＳ１２２；ＮＯ）、録画予約部１２２は、「録画予約が禁止されています。」などのメッセージを適宜表示させて（不図示）、録画予約処理を終了する。
【０１０４】
録画予約の権限があると判断した場合（ステップＳ１２２；ＹＥＳ）、録画予約部１２２は、録画予約の対象となる番組の番組情報が、記憶部１０９の録画予約データ１２０に含まれるか否かを判断する。
【０１０５】
録画予約の対象となる番組の番組情報が録画予約データ１２０に含まれない場合、録画予約部１２２は、録画予約済みの番組でないと判断し（ステップＳ１２３；ＮＯ）、操作者特定部１１４から取得したデータに含まれる指示内容に応じた番組の番組情報を含む録画予約データ１２０を記憶部１０９に追加して記憶させる（ステップＳ１２４）。
【０１０６】
録画予約の対象となる番組の番組情報が録画予約データ１２０に含まれる場合、録画予約部１２２は、録画予約済みの番組であると判断する（ステップＳ１２３；ＹＥＳ）。録画予約済みの番組であると判断した後（ステップＳ１２３；ＹＥＳ）、又は、ステップＳ１２４の処理を実行した後、録画予約部１２２は、操作者特定部１１４から取得したデータに含まれるユーザＩＤを参照することによって、共用のリモコン装置１０８からの指示であるか否かを判断する（ステップＳ１２５）。
【０１０７】
操作者特定部１１４から取得したデータにユーザＩＤが含まれない場合、録画予約部１２２は、共用のリモコン装置１０８からの指示であると判断し（ステップＳ１２５；ＹＥＳ）、ステップＳ１２３にて録画予約済みであると判断された録画予約データ１２０又はステップＳ１２４にて追加した録画予約データ１２０に、共用のリモコン装置１０８に付与されたユーザＩＤである「共用ＩＤ」を予約者ＩＤとして追加するなどして（不図示）、録画予約処理を終了する。なお、共用のリモコン装置１０８からの指示であるか否かは、リモコン装置１０８に対応付けられた端末ＩＤであるか否かに基づいて判断されてもよい。
【０１０８】
操作者特定部１１４から取得したデータにユーザＩＤが含まれる場合、録画予約部１２２は、共用のリモコン装置１０８からの指示でないと判断する（ステップＳ１２５；ＮＯ）。録画予約部１２２は、ステップＳ１２３にて録画予約済みであると判断された録画予約データ１２０又はステップＳ１２４にて追加した録画予約データ１２０に、ステップＳ１２１にて特定されたユーザＩＤを予約者ＩＤとして追加する（ステップＳ１２６）。これにより、録画予約部１２２は、録画予約処理を終了する。
【０１０９】
録画部１２４は、録画予約された番組の開始時刻が到来すると、図１４に示す第１録画処理を実行する。第１録画処理は、録画予約に応じて特定の番組を録画する処理である。
【０１１０】
録画部１２４は、録画予約された番組の開始時刻が到来した録画予約データ１２０に含まれる番組情報に応じた番組を録画する（ステップＳ１３１）。これにより、録画部１２４は、録画予約された番組の映像及び音声を含む録画データ１２１を作成する。
【０１１１】
録画部１２４は、録画予約された番組の開始時刻が到来した録画予約データ１２０に含まれるすべての予約者ＩＤを、録画者ＩＤとして録画データ１２１に追加する（ステップＳ１３２）。
【０１１２】
録画部１２４は、録画（ステップＳ１３１）中に、録画している番組と同じ番組を録画する指示データを、指示受信部１１３が情報通信端末１０３又はリモコン装置１０８から受信したか否かを判断する（ステップＳ１３３）。
【０１１３】
録画中に同番組を録画する指示を受信していないと判断した場合（ステップＳ１３３；ＮＯ）、録画部１２４は、第１録画処理を終了する。
【０１１４】
録画中に同番組を録画する指示を受信したと判断した場合（ステップＳ１３３；ＹＥＳ）、録画部１２４は、録画中に受信された指示データに含まれる端末ＩＤにユーザデータ１１９にて対応付けられたユーザＩＤを特定する。録画部１２４は、特定したユーザＩＤを、録画者ＩＤとして録画データ１２１にさらに追加する（ステップＳ１３４）。これにより、録画部１２４は、第１録画処理を終了する。
【０１１５】
指示受信部１１３は、特定の番組の録画を指示内容として含む指示データを受信すると、図１５に示す第２録画処理を実行する。第２録画処理は、ユーザの指示に応じて特定の番組を録画する処理である。
【０１１６】
操作者特定部１１４は、指示受信部１１３が受信した指示データに含まれる端末ＩＤに、記憶部１０９のユーザデータ１１９にて対応付けられたユーザＩＤを特定する（ステップＳ１４１）。操作者特定部１１４は、指示受信部１１３が受信した指示データに含まれる指示内容と、特定したユーザＩＤとを含むデータを録画部１２４へ出力する。
【０１１７】
録画部１２４は、録画の指示をしたユーザがその録画をする権限があるか否かを判断する（ステップＳ１４２）。
【０１１８】
詳細には、録画部１２４は、記憶部１０９のユーザデータ１１９を参照し、ステップＳ１４１にて特定されたユーザＩＤに対応付けられた指示制限情報を取得する。録画部１２４は、操作者特定部１１４から取得したデータに含まれる指示内容において録画の対象となる番組の録画が、取得した指示制限情報に照らして制限されていない場合、録画の権限があると判断する。操作者特定部１１４から取得したデータに含まれる指示内容において録画の対象となる番組の録画が、取得した指示制限情報に照らして制限されている場合、録画部１２４は、録画の権限がないと判断する。
【０１１９】
録画の権限がないと判断した場合（ステップＳ１４２；ＮＯ）、録画部１２４は、「録画が禁止されています。」などのメッセージを適宜表示させて（不図示）、第２録画処理を終了する。
【０１２０】
録画の権限があると判断した場合（ステップＳ１４２；ＹＥＳ）、録画部１２４は、録画中であるか否かを判断する（ステップＳ１４３）。
【０１２１】
録画中であると判断した場合（ステップＳ１４３；ＹＥＳ）、録画部１２４は、録画の対象となる番組が録画中の番組と同じであるか否かを判断する（ステップＳ１４４）。録画部１２４は、録画中の番組と同じでないと判断した場合（ステップＳ１４４；ＮＯ）、第２録画処理を終了する。なお、複数の番組の録画が可能な場合には、録画部１２４は、さらに録画をしてもよい。
【０１２２】
録画中の番組と同じであると判断した場合（ステップＳ１４４；ＹＥＳ）、録画部１２４は、ステップＳ１４１で特定されたユーザＩＤを保持する（ステップＳ１４５）。
【０１２３】
録画中でないと判断した場合（ステップＳ１４３；ＮＯ）、録画部１２４は、録画の対象となる番組を録画する（ステップＳ１４６）。これにより、録画部１２４は、録画指示された番組の映像及び音声を含む録画データ１２１を作成する。
【０１２４】
録画部１２４は、ステップＳ１４６での録画の指示に対応するユーザＩＤを録画者ＩＤとして録画データ１２１に追加する（ステップＳ１４７）。
【０１２５】
録画部１２４は、ステップＳ１４５にてユーザＩＤを保持しているか否かを判断する（ステップＳ１４８）。ユーザＩＤを保持していないと判断した場合（ステップＳ１４８；ＮＯ）、録画部１２４は、第２録画処理を終了する。
【０１２６】
ユーザＩＤを保持していると判断した場合（ステップＳ１４８；ＹＥＳ）、録画部１２４は、保持しているユーザＩＤを録画者ＩＤとして録画データ１２１にさらに追加する（ステップＳ１４９）。これにより、録画部１２４は、第２録画処理を終了する。
【０１２７】
指示受信部１１３は、例えば特定の番組の録画を削除することを指示内容として含む指示データを受信すると、図１６に示す録画削除処理を実行する。録画削除処理は、ユーザの指示に応じた特定の番組の録画を削除するための処理である。
【０１２８】
操作者特定部１１４は、指示受信部１１３が受信した指示データに含まれる端末ＩＤに、記憶部１０９のユーザデータ１１９にて対応付けられたユーザＩＤを特定する（ステップＳ１５１）。操作者特定部１１４は、指示受信部１１３が受信した指示データに含まれる指示内容と、特定したユーザＩＤとを含むデータを録画削除部１２５へ出力する。
【０１２９】
録画削除部１２５は、記憶部１０９のユーザデータ１１９を参照することによって、ステップＳ１５１にて特定されたユーザＩＤのユーザが管理者であるか否かを判断する（ステップＳ１５２）。詳細には、録画削除部１２５は、ユーザデータ１１９にて、ユーザＩＤに対応付けられた権限情報に基づいて判断する。
【０１３０】
管理者でないと判断した場合（ステップＳ１５２；ＮＯ）、録画削除部１２５は、操作者特定部１１４から取得したデータの指示内容に応じた削除対象の録画データ１２１を記憶部１０９から取得する。録画削除部１２５は、取得した録画データ１２１から、ステップＳ１５１にて特定されたユーザＩＤと同じ録画者ＩＤを削除する（ステップＳ１５３）。
【０１３１】
録画削除部１２５は、削除対象の録画データ１２１に録画者ＩＤが含まれているか否かを判断する（ステップＳ１５４）。録画者ＩＤが含まれていると判断した場合（ステップＳ１５４；ＹＥＳ）、録画削除部１２５は、録画削除処理を終了する。
【０１３２】
録画者ＩＤが含まれていないと判断した場合（ステップＳ１５４；ＮＯ）、録画削除部１２５は、削除対象の録画データ１２１を記憶部１０９から削除し（ステップＳ１５５）、録画削除処理を終了する。
【０１３３】
管理者であると判断した場合（ステップＳ１５２；ＹＥＳ）、録画削除部１２５は、操作者特定部１１４から取得したデータの指示内容に応じた削除方法で、削除処理を実行する（ステップＳ１５６）。
【０１３４】
詳細には、ユーザが管理者である場合、上述の通り、情報通信端末１０３を操作することによって、削除方法を選択することができる。選択された削除方法は、指示内容に含まれるため、録画削除部１２５は、指示内容に応じた削除方法で、削除処理を実行する。これにより、録画削除部１２５は、録画削除処理を終了する。
【０１３５】
なお、録画予約データ１２０において、１つの番組に複数の予約者ＩＤが対応付けられている場合、ここで説明した録画削除処理と同様の処理により、録画予約が削除されてもよい。録画予約が削除するための録画予約削除処理では、例えば、録画削除処理にて録画削除部１２５が実行する処理に相当する処理を、録画予約削除部１２３が録画予約データ１２０を対象に実行するとよい。
【０１３６】
指示受信部１１３は、特定の録画番組の再生を指示内容として含む指示データを受信すると、図１７に示す再生処理を実行する。再生処理は、ユーザの指示に応じて特定の録画番組を再生する処理である。
【０１３７】
操作者特定部１１４は、指示受信部１１３が受信した指示データに含まれる端末ＩＤに、記憶部１０９のユーザデータ１１９にて対応付けられたユーザＩＤを特定する（ステップＳ１６１）。操作者特定部１１４は、指示受信部１１３が受信した指示データに含まれる指示内容と、特定したユーザＩＤとを含むデータを再生部１２６へ出力する。
【０１３８】
再生部１２６は、操作者特定部１１４から取得したデータの指示内容により特定される再生対象の録画データ１２１を記憶部１０９から取得し、その録画データ１２１に含まれる映像・音声データの映像及び音声を再生する（ステップＳ１６２）。
【０１３９】
再生部１２６は、再生を中断する指示データが指示受信部１１３により受信されたか否かに応じて、再生を中断するか否かを判断する（ステップＳ１６３）。なお、指示受信部１１３が再生の中断を指示内容として含む指示データを受信すると、再生部１２６は、指示データに含まれる指示内容を含むデータを操作者特定部１１４から取得する。
【０１４０】
中断しないと判断した場合（ステップＳ１６３；ＮＯ）、再生部１２６は、最後まで再生したか否かを判断する（ステップＳ１６４）。最後まで再生していないと判断した場合（ステップＳ１６４；ＮＯ）、再生部１２６は、ステップＳ１６２の再生処理を継続する。
【０１４１】
中断すると判断した場合（ステップＳ１６３；ＹＥＳ）、再生部１２６は、再生を中断する。そして、中断位置記録部１２８が、再生が中断された位置を特定し、その中断位置を示す中断位置情報を、ステップＳ１６１にて特定されたユーザＩＤと同じ録画者ＩＤに対応付けて録画データ１２１に設定して記憶部１０９の録画データ１２１を更新する（ステップＳ１６５）。
【０１４２】
再生フラグ設定部１２７は、ステップＳ１６４又はステップＳ１６５の後に、再生したことを示す再生フラグが「未」である場合、ステップＳ１６１にて特定されたユーザＩＤと同じ録画者ＩＤに「済」の再生フラグを対応付けて録画データ１２１に設定して記憶部１０９の録画データ１２１を更新する（ステップＳ１６６）。これにより、再生部１２６は、再生処理を終了する。
【０１４３】
指示受信部１１３は、録画予約済みの番組情報の表示を指示内容として含む指示データを受信すると、図１８に示す予約表示処理を実行する。予約表示処理は、録画予約済みの番組情報をテレビ１０１に表示させるための処理である。
【０１４４】
操作者特定部１１４は、指示受信部１１３が受信した指示データに含まれる端末ＩＤに、記憶部１０９のユーザデータ１１９にて対応付けられたユーザＩＤを特定する（ステップＳ１７１）。操作者特定部１１４は、指示受信部１１３が受信した指示データに含まれる指示内容と、特定したユーザＩＤとを含むデータを予約表示部１３０へ出力する。
【０１４５】
予約表示部１３０は、記憶部１０９のユーザデータ１１９を参照することによって、ステップＳ１７１にて特定されたユーザＩＤのユーザが管理者であるか否かを判断する（ステップＳ１７２）。詳細には、予約表示部１３０は、ユーザデータ１１９にて、ユーザＩＤに対応付けられた権限情報に基づいて判断する。
【０１４６】
管理者でないと判断した場合（ステップＳ１７２；ＮＯ）、予約表示部１３０は、ステップＳ１７１にて特定されたユーザＩＤを予約者ＩＤとして含む録画予約データ１２０を記憶部１０９から抽出する（ステップＳ１７３）。
【０１４７】
予約表示部１３０は、ステップＳ１７３にて抽出されていない記憶部１０９の録画予約データ１２０であり、かつ、ステップＳ１７１にて特定されたユーザＩＤ以外のユーザＩＤを予約者ＩＤとして含む録画予約データ１２０のうち、開示許否情報が許可を示すものを記憶部１０９から抽出する（ステップＳ１７４）。
【０１４８】
予約表示部１３０は、ステップＳ１７３とステップＳ１７４とで抽出された録画予約データ１２０の番組情報をテレビ１０１に表示させる予約表示データを作成する（ステップＳ１７５）。なお、予約表示の指定方法などに応じて、ステップＳ１７３とステップＳ１７４とのいずれか一方の処理が省略されてもよい。
【０１４９】
予約表示部１３０は、ステップＳ１７５にて作成した予約表示データをテレビ１０１へ出力する（ステップＳ１７６）。これにより、ステップＳ１７３とステップＳ１７４とで抽出された録画予約データ１２０の番組情報が、テレビ１０１に表示される。
【０１５０】
管理者であると判断した場合（ステップＳ１７２；ＹＥＳ）、予約表示部１３０は、操作者特定部１１４から取得したデータの指示内容に応じた表示方法で録画予約データ１２０を抽出する（ステップＳ１７７）。
【０１５１】
詳細には、ユーザが管理者である場合、上述の削除方法と同様に、情報通信端末１０３を操作することによって、表示方法を選択することができる。選択された表示方法は、指示内容に含まれるため、予約表示部１３０は、指示内容に応じた表示方法で、録画予約データ１２０を抽出する。
【０１５２】
録画予約の表示方法として、例えば、管理者のユーザＩＤを予約者ＩＤとして含む録画予約データ１２０のみを抽出してその番組情報を表示すること、管理者以外の特定のユーザのユーザＩＳを予約者ＩＤとして含む録画予約データ１２０を抽出してその番組情報を表示することなどを含む。また、管理者は、開示許否情報の内容にかかわらず他のユーザの録画予約に係る録画予約データ１２０を抽出してその番組情報を表示させることができてもよい。この場合、録画予約の表示方法には、開示許否情報の内容に応じて抽出する録画予約データ１２０を選択できるようにされてもよい。
【０１５３】
予約表示部１３０は、ステップＳ１７７で抽出された録画予約データ１２０の番組情報をテレビ１０１に表示させる予約表示データを作成する（ステップＳ１７８）。
【０１５４】
予約表示部１３０は、ステップＳ１７８にて作成した予約表示データをテレビ１０１へ出力する（ステップＳ１７９）。これにより、ステップＳ１７７で抽出された録画予約データ１２０の番組情報が、テレビ１０１に表示される。これにより、予約表示部１３０は、予約表示処理を終了する。
【０１５５】
なお、録画データ１２１において、１つの番組に複数の録画者ＩＤが対応付けられている場合、ここで説明した予約表示処理と同様の処理により、録画表示処理が実行されてもよい。ここで、録画表示処理は、録画表示部１２９によって録画済みの番組情報をテレビ１０１に表示させるための処理であって、例えば、指示受信部１１３が、録画済みの番組情報の表示を指示内容として含む指示データを受信することによって、開始されるとよい。録画表示処理では、例えば、予約表示処理にて予約表示部１３０が実行する処理に相当する処理を、録画表示部１２９が録画データ１２１を参照することによって実行するとよい。
【０１５６】
管理者登録部１１１は、リモコン装置１０８からの指示を受けると、図１９に示す管理者登録処理を実行する。管理者登録処理は、録画再生装置１００の管理者を登録するための処理である。
【０１５７】
管理者登録部１１１は、管理者を設定するための画面である管理者設定画面をテレビ１０１に表示させる（ステップＳ１９１）。
【０１５８】
管理者登録部１１１は、ユーザの入力に基づく信号をリモコン装置１０８から受けると、例えばその信号に含まれるユーザの表示名と記憶部１０９のユーザデータ１１９とに基づいて、管理者とするユーザのユーザＩＤを特定する（ステップＳ１９２）。
【０１５９】
管理者登録部１１１は、記憶部１０９のユーザデータ１１９を参照することによって、管理者の設定があるか否かを判断する（ステップＳ１９３）。
【０１６０】
管理者の設定がないと判断した場合（ステップＳ１９３；ＮＯ）、管理者登録部１１１は、ステップＳ１９２にて特定したユーザＩＤに対応する権限情報に管理者であることを示す情報を設定する。これにより、ステップＳ１９２にて特定したユーザＩＤに管理者権限が付与される（ステップＳ１９４）。
【０１６１】
管理者登録部１１１は、管理者を認証するためのパスコードを設定するためのパスコード入力画面をテレビ１０１に表示させる（ステップＳ１９５）。
【０１６２】
管理者登録部１１１は、ユーザのリモコン装置１０８の操作によりパスコードがパスコード入力画面に入力されると、そのパスコードを記憶部１０９のユーザデータ１１９に登録する（ステップＳ１９６）。
【０１６３】
管理者の設定があると判断した場合（ステップＳ１９３；ＹＥＳ）、管理者登録部１１１は、パスコード入力画面をテレビ１０１に表示させる（ステップＳ１９７）。
【０１６４】
管理者登録部１１１は、ユーザのリモコン装置１０８の操作によりパスコードがパスコード入力画面に入力されると、そのパスコードと、記憶部１０９のユーザデータに含まれるパスコードとに基づいて、正しいパスコードが入力されたか否かを判断する（ステップＳ１９８）。例えば、管理者登録部１１１は、パスコードが一致する場合に、正しいパスコードが入力されたと判断し、パスコードが一致しない場合に、正しいパスコードが入力されていないと判断する。
【０１６５】
正しいパスコードが入力されたと判断した場合（ステップＳ１９８；ＹＥＳ）、管理者登録部１１１は、ステップＳ１９４と同様の処理を実行することによって、ステップＳ１９２にて特定したユーザＩＤに管理者権限を付与する（ステップＳ１９９）。
【０１６６】
正しいパスコードが入力されていないと判断した場合（ステップＳ１９８；ＮＯ）、管理者登録部１１１は、正しいパスコードが入力されていないことを示すエラーメッセージをテレビ１０１に表示させて（ステップＳ２００）、管理者登録処理を終了する。
【０１６７】
以上、本発明の一実施の形態について説明した。
【０１６８】
本実施の形態によれば、端末ＩＤを含む指示データと、ユーザＩＤと端末ＩＤとを対応付けるユーザデータとに基づいて、ユーザＩＤが特定される。これによって、ユーザを識別できるユーザＩＤを特定することができる。指示データに含まれる指示内容は、ユーザが録画再生装置１００に指示するために情報通信端末を操作することによって、通常生成される情報であって、端末ＩＤは、ユーザが特別な入力操作などをしなくても情報通信端末により自動的に付加することができる。また、端末ＩＤを指示データに含めるために、追加的な構成もほとんど必要としない。従って、簡易な構成であってもユーザの手間を掛けずにユーザを識別することが可能になる。
【０１６９】
本実施の形態によれば、録画の削除では、録画データ１２１に複数のユーザＩＤが含まれる場合、録画を削除することを指示したユーザのユーザＩＤのみが録画データ１２１から削除され、録画データ１２１は削除されない。これにより、他のユーザが意図しない間に、他のユーザが録画した録画データが、削除されることを防ぐことができる。
【０１７０】
本実施の形態によれば、録画データ１２１において、再生位置情報がユーザＩＤに対応付けて記録される。これにより、ユーザが、他のユーザにより再生が中断された番組を再生する場合、他のユーザにより中断された位置ではなく、ユーザが前回中断した位置、又は、ユーザが録画された番組を初めて再生する場合にはその番組の冒頭から再生することができる。従って、複数のユーザが録画再生装置１００を利用する場合であっても、各ユーザが他のユーザの影響を受けずに利用することが可能になる。
【０１７１】
本実施の形態によれば、管理者であるユーザは、他のユーザによって録画予約又は録画された番組の番組情報を閲覧することができる。また、表示方法を選択することができるので、表示される番組が多数である場合、所望の情報を選択して見ることができる。従って、管理者が他のユーザを管理し易くすることが可能になる。
【０１７２】
本実施の形態によれば、管理者であるユーザは、他のユーザによって録画予約又は録画された番組の録画予約データ１２０又は録画データ１２１を選択した方法で削除することができる。これにより、管理者が、種々の方法で管理することが可能になる。
【０１７３】
本実施の形態によれば、管理者であるユーザは、指示制限情報を設定することによって、他のユーザの指示内容を制限することができる。これにより、例えば子供が深夜に録画再生装置１００を利用したり、深夜番組を録画したりすることを制限することができる。従って、管理者が、他のユーザを種々の方法で管理することが可能になる。
【０１７４】
一般的に、リモコン装置１０８などがどこにあるかが、例えば散らかった部屋で分からなくなった場合、それを見つけ出すことが困難なことがある。しかしながら、情報通信端末１０３として携帯電話又はスマートフォンを利用し、家の中などで情報通信端末がどこにあるかが分からなくなった場合、情報通信端末１０３としての携帯電話又はスマートフォンに電話を掛けることで、それらの場所を容易に特定することができる。
【０１７５】
一般的に、リモコン装置１０８は電池で動作するものが多く、リモコン装置１０８の電池が切れると、新しい電池のストックが無ければ、録画再生装置１００に対する詳細な操作ができなくなることがある。情報通信端末１０３として携帯電話、スマートフォン、タブレット端末などを採用した場合、これらは、通常、家庭に置かれた充電器で充電することができる。そのため、情報通信端末１０３の電池が切れても、それを充電器に接続することによって、情報通信端末１０３を用いた録画再生装置１００に対する詳細な操作を継続することが可能になる。
【０１７６】
以上、本発明の実施の形態について説明したが、本発明は、実施の形態に限定されるものではなく、実施の形態及び変形例を適宜組み合わせた形態、それに種々の変更を加えた形態を含む。
【符号の説明】
【０１７７】
１００  録画再生装置、１０１  テレビ、１０３ａ，１０３ｂ  情報通信端末、１０４  端末入力部、１０５  端末表示部、１０６  ユーザデータ送信部、１０７  指示送信部、１０８  リモコン装置、１０９  記憶部、１１０  ユーザ登録部、１１１  管理者登録部、１１２  指示制限部、１１３  指示受信部、１１４  操作者特定部、１１５  録画予約制御部、１１６  録画制御部、１１７  再生制御部、１１８  表示制御部、１１９  ユーザデータ、１２０  録画予約データ、１２１  録画データ、１２２  録画予約部、１２３  録画予約削除部、１２４  録画部、１２５  録画削除部、１２６  再生部、１２７  再生フラグ設定部、１２８  中断位置記録部、１２９  録画表示部、１３０  予約表示部。
【図１】
0006406917.tif 000002
【図２】
0006406917.tif 000003
【図３】
0006406917.tif 000004
【図４】
0006406917.tif 000005
【図５】
0006406917.tif 000006
【図６】
0006406917.tif 000007
【図７】
0006406917.tif 000008
【図８】
0006406917.tif 000009
【図９】
0006406917.tif 000010
【図１０】
0006406917.tif 000011
【図１１】
0006406917.tif 000012
【図１２】
0006406917.tif 000013
【図１３】
0006406917.tif 000014
【図１４】
0006406917.tif 000015
【図１５】
0006406917.tif 000016
【図１６】
0006406917.tif 000017
【図１７】
0006406917.tif 000018
【図１８】
0006406917.tif 000019
【図１９】
0006406917.tif 000020